(57)【要約】噴出口７において中央の温風ジェット５およびそれと同心の冷風ジェット６を発生させる、ブロワ３およびヒータ４を備えた温風送風機２のための装置１では、ヒータ４の領域において、温風ジェット９と冷風ジェット１０とは隔壁２２によって分流せしめられる。この噴出口７と接続可能なように形成された送風ノズルアタッチメント８が装置１として備えられる。ここで送風ノズルアタッチメント８は、温風送風機２の中央の温風ジェット５およびそれと同心の冷風ジェット６から、相並んで配置された温風ジェット９および冷風ジェット１０を発生させる。
2005532131.tif 000002
【特許請求の範囲】
【請求項１】
噴出口において中央の温風ジェットおよびそれと同心の冷風ジェットを発生させる、ブロワおよびヒータを備えた温風送風機のための装置であって、
前記噴出口（７）と接続可能なように形成された送風ノズルアタッチメント（８）が備えられており、前記送風ノズルアタッチメント（８）は、前記温風送風機（２）の前記中央の温風ジェット（５）および前記同心の冷風ジェット（６）から、相並んで配置された温風ジェット（９）および冷風ジェット（１０）を発生させることを特徴とする温風送風機のための装置（１）。
【請求項２】
前記送風ノズルアタッチメント（８）は、前記噴出口（７）側に中央導管の入口（１１）およびそれと同心である導管の入口（１２）を有し、かつ、前記中央導管入口（１１）および前記同心導管入口（１２）は、それぞれ相並んで配置された温風ノズル（１３）および冷風ノズル（１４）に繋がれていることを特徴とする請求項１に記載の装置。
【請求項３】
前記温風ノズル（１３）および前記冷風ノズル（１４）は、それぞれフラットノズル（１５）として形成されており、平らな面が互いに接するように配置されていることを特徴とする請求項２に記載の装置。
【請求項４】
前記温風ノズル（１３）および前記冷風ノズル（１４）は、少なくとも略同一形状の吹出口断面（１６、１７）を有していることを特徴とする請求項２に記載の装置。
【請求項５】
前記温風ノズル（１３）は、前記冷風ノズル（１４）の吹出口断面（１７）よりも小さい吹出口断面（１６）を有していることを特徴とする請求項２に記載の装置。
【請求項６】
前記温風ノズル（１３）および前記冷風ノズル（１４）が同じ長さで終端していることを特徴とする請求項２に記載の装置。
【請求項７】
前記送風ノズルアタッチメント（８）は、前記噴出口（７）の領域において、軸回転可能かつ接続可能なように形成されていることを特徴とする請求項２に記載の装置。
【請求項８】
前記送風ノズルアタッチメント（８）は、スナップ接続（１８）によって前記噴出口（７）の領域と接続可能であることを特徴とする請求項２に記載の装置。
【請求項９】
前記送風ノズルアタッチメント（８）は耐熱プラスチック（１９）からなっていることを特徴とする請求項２に記載の装置。
【請求項１０】
前記温風ノズル（１３）および前記冷風ノズル（１４）の外側部分には、種々の視覚的な目印が付けられていることを特徴とする請求項２に記載の装置。
【請求項１１】
前記温風ノズル（１３）の外側部分（２０）には赤色の目印が付けられ、かつ前記冷風ノズル（１４）の外側部分（２１）には青色の目印が付けられていることを特徴とする請求項１０に記載の装置。
【請求項１２】
前記送風ノズルアタッチメント（８）と選択的に使用される、温風ノズルアタッチメント（２３）が備えられたことを特徴とする請求項２に記載の装置。
【発明の詳細な説明】
【技術分野】
【０００１】
本発明は、噴出口において中央の温風ジェットおよびそれと同心の冷風ジェットを発生させる、ブロワおよびヒータを備えた温風送風機のための装置に関する。
【背景技術】
【０００２】
髪の毛の乾燥または他のトリートメントのための温風送風機の例としては、ＤＥ９００１１９９Ｕ１号が知られている。ここで、温風送風機の噴出口からの同心冷風ジェットは、温風ジェットによって頭皮が熱くなることを防ぐようになされている。しかしこの際、同心冷風ジェットは同時に髪の毛にも当たり、不必要な冷却を招くという弊害がある。
【特許文献１】ＤＥ９００１１９９Ｕ１号公報
【発明の開示】
【発明が解決しようとする課題】
【０００３】
従って本発明の課題は、上述の欠点を有さず、構造が単純であり、かつコスト的に有利に生産し得る同種の装置を提供することである。
【課題を解決するための手段】
【０００４】
この課題は、請求項１の特徴部分に記載の構成によって解決される。本発明の更なる好ましい構成が従属クレームから明らかとなる。
【発明を実施するための最良の形態】
【０００５】
本発明は実施例によって、より詳細に記述される。
【０００６】
図１〜図６は、噴出口７において中央の温風ジェット５およびそれと同心の冷風ジェット６を発生させる、ブロワ３およびヒータ４を備えた温風送風機２のための装置１を示している。このヒータ４の領域において、温風ジェット９と冷風ジェット１０とは隔壁２２によって分流せしめられる。この噴出口７と接続可能なように形成された送風ノズルアタッチメント８が装置１として備えられる。ここで送風ノズルアタッチメント８は、温風送風機２の中央の温風ジェット５およびそれと同心の冷風ジェット６から、相並んで配置された温風ジェット９および冷風ジェット１０を発生させる。これは、送風ノズルアタッチメント８が、噴出口７側に中央の導管の入口１１およびそれと同心である導管の入口１２を有し、かつ、中央導管入口１１および同心導管入口１２が、それぞれ相並んで配置された温風ノズル１３および冷風ノズル１４に繋がれていることにより達成される。この中央導管入口１１と同心導管入口１２とは、接続ブリッジ２４によって相互に結合される。
【０００７】
温風ノズル１３および冷風ノズル１４は、それぞれフラットノズル１５として形成され、平らな面が互いに接するように配置される。ここで、温風ノズル１３および冷風ノズル１４は、少なくとも略同一形状の吹出口断面１６、１７を有している。
【０００８】
温風ノズル１３は、冷風ノズル１４の吹出口断面１７よりも小さい吹出口断面１６を有しているため、非常に良好な頭皮の冷却が可能となる。
【０００９】
実用的な理由により、温風ノズル１３および冷風ノズル１４は同じ長さで終端している。
【００１０】
送風ノズルアタッチメント８は、噴出口７の領域において軸回転可能かつ接続可能なように形成されているため、任意の角度位置に位置決めされ得る。このように、温風送風機２は取扱いが簡略化されており、特に、送風ノズルアタッチメント８を用いて側頭部の頭髪領域を最適に狙うべく取り扱われ得る。
【００１１】
送風ノズルアタッチメント８は、よく知られたスナップ接続１８（詳細は不図示）によって、噴出口７の領域と接続可能なように形成される。
【００１２】
コスト的な理由により、送風ノズルアタッチメント８は耐熱プラスチック１９からなっている。
【００１３】
ある回転角度に調節された送風ノズルアタッチメント８を視覚的に容易にチェックするために、温風ノズル１３および冷風ノズル１４の外側部分には、例えば温風ノズル１３の外側部分２０には赤色の目印、冷風ノズル１４の外側部分２１には青色の目印というように、種々の視覚的な目印が付けられる。
【００１４】
図７は、温風ジェット９のみ用の別の温風ノズルアタッチメント２３を示している。温風ノズルアタッチメント２３は、送風ノズルアタッチメント８と選択的に使用され、温風ジェット９のみを温風送風機２に生じさせることができる。この単独温風ジェット９は、送風ノズルアタッチメント８が、同心冷風ジェット６の噴出口７を閉止するとともに、温風ジェット９のみを通過させることによって生じる。
【図面の簡単な説明】
【００１５】
【図１】送風ノズルアタッチメントとして形成された装置を備えた温風送風機の側断面図である。
【図２】図１における温風送風機の送風ノズルアタッチメントを軸方向から視た図である。
【図３】送風ノズルアタッチメントがない状態の、図１における温風送風機の前部を示す要部断面図である。
【図４】送風ノズルアタッチメントを独立部品として示す拡大図である。
【図５】送風ノズルアタッチメントを独立部品として示す拡大図である。
【図６】送風ノズルアタッチメントを独立部品として示す拡大図である。
【図７】温風のみ用の別の送風ノズルアタッチメントを示す側断面図である。
【符号の説明】
【００１６】
１  装置
２  温風送風機
３  ブロワ
４  ヒータ
５  中央の温風ジェット
６  同心の冷風ジェット
７  噴出口
８  送風ノズルアタッチメント
９  温風ジェット
１０  冷風ジェット
１１  中央導管の入口
１２  同心導管の入口
１３  温風ノズル
１４  冷風ノズル
１５  フラットノズル
１６  （温風ノズル）吹出口断面
１７  （冷風ノズル）吹出口断面
１８  スナップ接続
１９  プラスチック
２０  温風ノズルの外側部分
２１  冷風ノズルの外側部分
２２  隔壁
２３  温風ノズルアタッチメント
２４  接続ブリッジ
【図１】
2005532131.tif 000003
【図２】
2005532131.tif 000004
【図３】
2005532131.tif 000005
2005532131.tif 000006
【図６】
2005532131.tif 000007
【図７】
2005532131.tif 000008
【国際調査報告】
2005532131.tif 000009
2005532131.tif 000010
2005532131.tif 000011
2005532131.tif 000012